(57)【要約】      （修正有）【課題】多用途利用できる電磁調理器の上に、釜が入った別設の炊飯器を載置して固定でき、前記電磁調理器との電磁誘導により前記炊飯器内の釜で炊飯するタイプの炊飯器と電磁調理器を提供する。【解決手段】電磁調理器Ｂのトッププレート７の上に載置して炊飯可能な炊飯器Ａである。炊飯器Ａの下底面の一部が開口された釜下出現窓部１１として形成されており、炊飯器Ａ内に装着された釜３の下底面が釜下出現窓部１１に出現され、電磁調理器Ｂのトッププレート７に当接して電磁誘導自在である。炊飯器Ａの下端周縁部１４が載置される電磁調理器Ｂのトッププレート７は、所定の高さｈ分上方に突出して形成され、炊飯器Ａの下端周縁部は、トッププレート７に上方から嵌合可能な高さｈ分下方に突出して形成されている。【選択図】図１
0003103627.tif 000002
【実用新案登録請求の範囲】
【請求項１】
電磁調理器のトッププレートの上に載置して炊飯可能な炊飯器であって、
当該炊飯器の下底面は、その一部が開口された釜下出現窓部として形成されており、当該炊飯器内に装着された釜の下底面が、前記釜下出現窓部に出現され、電磁調理器のトッププレートに当接して電磁誘導加熱自在に構成されていることを特徴とする、電磁調理器に載置して炊飯可能な電磁調理器用炊飯器。
【請求項２】
炊飯器の釜下出現窓部に出現された釜の下底面と、炊飯器の下底面とが略同一レベル位置になるように釜が炊飯器内で支持されることを特徴とする、請求項１記載の電磁調理器に載置して炊飯可能な電磁調理器用炊飯器。
【請求項３】
釜を包み込み所定の位置で支持し下部が円形状に開口された鉢状の釜支持体が、炊飯器の内部に装着されていると共に、当該炊飯器の下底面を構成する下底面板の略中央が円形状に開口された釜下出現窓部に形成されており、前記釜支持体の開口下部と下底面板の釜下出現窓部とが位置を共通にして取り付けられていることを特徴とする、請求項１又は２に記載の電磁調理器に載置して炊飯可能な電磁調理器用炊飯器。
【請求項４】
炊飯器の下端周縁部が載置される電磁調理器のトッププレートは、所定の高さ分上方に突出して形成され、前記炊飯器の下端周縁部は、前記電磁調理器のトッププレートに上方から嵌合可能な高さ分下方に突出して形成されていることを特徴とする、請求項１〜３のいずれか１項に記載の電磁調理器に載置して炊飯可能な電磁調理器用炊飯器。
【請求項５】
炊飯器の蓋部の裏面に、加熱板が着脱自在に取り付けられていることを特徴とする、請求項１〜４のいずれか１項に記載の電磁調理器に載置して炊飯可能な電磁調理器用炊飯器。
【請求項６】
炊飯器の蓋部への加熱板の着脱構造は、加熱板の外周に係止片が複数突設され、前記加熱板の係止片を係止する係止孔又は係止爪部が蓋部の裏面外周に形成されて成ることを特徴とする、請求項５記載の電磁調理器に載置して炊飯可能な電磁調理器用炊飯器。
【請求項７】
炊飯器の外側面に、内部に通じる窓部が形成され、前記窓部に着脱自在に嵌合する箱状の水滴受け部が設けられ、炊飯器内で炊飯された際に生じる水滴が当該水滴受け部に滞留可能に構成されていることを特徴とする、請求項１〜６のいずれか１項に記載の電磁調理器に載置して炊飯可能な電磁調理器用炊飯器。
【請求項８】
下底面が一部開口された炊飯器が載置される電磁調理器のトッププレートは、前記炊飯器の下端において所定高さ分下方に突出した下端周縁部の内側空間に嵌合する大きさ・高さ分上方に突出して形成されていることを特徴とする電磁調理器。
【請求項９】
下底面が一部開口された炊飯器が載置される電磁調理器のトッププレートに、前記炊飯器の下端において所定高さ分下方に突出した下端周縁部を嵌挿可能な溝部が形成されていることを特徴とする電磁調理器。
【請求項１０】
下底面が一部開口された炊飯器が載置される電磁調理器のトッププレートは、前記炊飯器の下端周縁部全体を嵌合可能な凹部に形成されていることを特徴とする電磁調理器。
【請求項１１】
内部に温度制御部が組み込まれており、当該電磁調理器のトッププレートの上に載置された炊飯器による炊飯に適した温度が調節自在に構成されていることを特徴とする、請求項８〜１０のいずれか１項に記載の電磁調理器。
【考案の詳細な説明】
【技術分野】
【０００１】
本考案は、電磁調理器に載置して炊飯可能な電磁調理器用炊飯器と電磁調理器に関し、さらに言えば、電磁調理器とは分離された炊飯器を、電磁調理器の上に載置し内部の釜を電磁誘導加熱して炊飯可能な電磁調理器に利用される電磁調理器用の炊飯器と、前記炊飯器の炊飯に適するほか様々な用途に利用可能な電磁調理器の技術分野に属するものである。
【背景技術】
【０００２】
従来、電磁調理器と称されるものや、電磁誘導加熱を利用した所謂ＩＨ炊飯器は数多く存する。
【０００３】
例えば、特開２００３−３３２０３５号公開特許公報には、電気炊飯器の内部に内鍋や、誘導加熱コイル、コイル基板等が配設された、いわば一体型の電磁誘導加熱を利用した電気炊飯器（ＩＨ炊飯器）が開示されている。
【特許文献１】特開２００３−３３２０３５号公開特許公報
【考案の開示】
【考案が解決しようとする課題】
【０００４】
前記従来一般のＩＨ炊飯器は、電磁誘導加熱を炊飯のためだけにしか使えない。つまり、電磁調理器とは別設された分離タイプのＩＨ炊飯器ではないため、当然のことながら電磁誘導加熱の用途が炊飯だけに限定されている。
【０００５】
したがって、本考案の目的は、多用途利用できる電磁調理器のトッププレート上に、釜が装着された別設の炊飯器を載置して固定でき、前記電磁調理器のトッププレートとの電磁誘導加熱により前記炊飯器内の釜で炊飯するタイプの電磁調理器用炊飯器と、その電磁調理器用炊飯器に適する電磁調理器を提供することにある。
【課題を解決するための手段】
【０００６】
前記課題を解決するための手段として、請求項１記載の考案の電磁調理器に載置して炊飯可能な電磁調理器用炊飯器は、電磁調理器Ｂのトッププレート７の上に載置して炊飯可能な炊飯器Ａであって、
当該炊飯器Ａの下底面１０は、その一部が開口された釜下出現窓部１１として形成されており、当該炊飯器Ａ内に装着された釜３の下底面３０が、前記釜下出現窓部１１に出現され、電磁調理器Ｂのトッププレート７に当接して電磁誘導加熱自在に構成されていることを特徴とする。
【０００７】
請求項２記載の考案の電磁調理器用炊飯器は、前記炊飯器Ａの釜下出現窓部１１に出現された釜３の下底面３０と、炊飯器Ａの下底面１０とが略同一レベル位置になるように釜３が炊飯器Ａ内で支持されることを特徴とする。
【０００８】
請求項３記載の考案の電磁調理器用炊飯器は、前記釜３を包み込み所定の位置で支持し下部１６が円形状に開口された鉢状の釜支持体１５が、炊飯器Ａの内部に装着されていると共に、当該炊飯器Ａの下底面を構成する下底面板１０の略中央が円形状に開口された釜下出現窓部１１に形成されており、前記釜支持体１５の開口下部１６と下底面板１０の釜下出現窓部１１とが位置を共通にして取り付けられていることを特徴とする。
【０００９】
請求項４記載の考案の電磁調理器用炊飯器は、前記炊飯器Ａの下端周縁部１２（１３、１４）が載置される当該電磁調理器Ｂのトッププレート７は、所定の高さｈ分上方に突出して形成され、前記炊飯器Ａの下端周縁部１２（１３、１４）は、前記電磁調理器Ｂのトッププレート７に上方から嵌合可能な高さｈ分下方に突出して形成されていることを特徴とする。
【００１０】
請求項５記載の考案の電磁調理器用炊飯器は、前記炊飯器Ａの蓋部２の裏面２ａに、加熱板４が着脱自在に取り付けられていることを特徴とする。
【００１１】
請求項６記載の考案の電磁調理器用炊飯器は、前記炊飯器Ａの蓋部２への加熱板４の着脱構造は、加熱板４の外周に係止片４０、４１が複数突設され、前記加熱板４の係止片４０、４１を係止する係止孔２０又は係止爪部２１が蓋部２の裏面２ａの外周に形成されて成ることを特徴とする。
【００１２】
請求項７記載の考案の電磁調理器用炊飯器は、前記炊飯器Ａの外側面１８に、内部に通じる窓部１９が形成され、前記窓部１９に着脱自在に嵌合する箱状の水滴受け部６が設けられ、炊飯器Ａ内で炊飯された際に生じる水滴が当該水滴受け部６に滞留可能に構成されていることを特徴とする。
【００１３】
請求項８記載の考案の電磁調理器は、下底面１０が一部開口された炊飯器Ａが載置される電磁調理器Ｂのトッププレート７は、前記炊飯器Ａの下端において所定高さｈ分下方に突出した下端周縁部１２（１３、１４）の内側空間に嵌合する大きさ・高さｈ分上方に突出して形成されていることを特徴とする。
【００１４】
請求項９記載の考案の電磁調理器は、下底面１０が一部開口された炊飯器Ａが載置される電磁調理器Ｂのトッププレート７に、前記炊飯器Ａの下端において所定高さｈ分下方に突出した下端周縁部１２（１３、１４）を嵌挿可能な溝部が形成されていることを特徴とする。
【００１５】
請求項１０記載の考案の電磁調理器は、下底面１０が一部開口された炊飯器Ａが載置される電磁調理器Ｂのトッププレート７は、前記炊飯器Ａの下端周縁部１２（１３、１４）全体を嵌合可能な凹部に形成されていることを特徴とする。
【００１６】
請求項１１記載の考案の電磁調理器は、その内部に温度制御部８が組み込まれており、当該電磁調理器Ｂのトッププレート７の上に載置された炊飯器Ａによる炊飯に適した温度が調節自在に構成されていることを特徴とする。
【考案の効果】
【００１７】
請求項１記載の考案の電磁調理器用炊飯器は、電磁調理器のトッププレートの上に載置して炊飯可能であり、当該炊飯器の下底面の一部が開口された釜下出現窓部として形成され、中に装着された釜の下底面が、前記釜下出現窓部に出現され、電磁調理器のトッププレートに当接して電磁誘導加熱自在に構成されているので、当該炊飯器の下底面から出現された釜の下底面が、トッププレートに確実に当接する結果、電磁誘導加熱により確実に炊飯できる利便性に優れている。
【００１８】
請求項２記載の考案の電磁調理器用炊飯器は、その釜下出現窓部に出現された釜の下底面と、炊飯器の下底面とが略同一レベル位置になるように釜が炊飯器内で支持されるので、炊飯器の下底面を電磁調理器のトッププレート上に載置できると同時に、釜の下底面がトッププレートに確実に当接できたか否かの目安となって使い易い。
【００１９】
請求項３記載の考案の電磁調理器用炊飯器は、釜を包み込み所定の位置で支持し下部が円形状に開口された鉢状の釜支持体が、炊飯器の内部に装着されていると共に、当該炊飯器の下底面を構成する下底面板の略中央が円形状に開口された釜下出現窓部に形成されており、前記釜支持体の開口下部と下底面板の釜下出現窓部とが位置を共通にして取り付けられているので、釜支持体に支持された釜の下底面が、その釜支持体の開口下部と下底面板の釜下出現窓部から確実に下方に出現し、トッププレートとの当接による電磁誘導加熱の確実性が図られている。
【００２０】
請求項４記載の考案の電磁調理器用炊飯器は、その下端周縁部が載置される電磁調理器のトッププレートが、所定の高さ分上方に突出して形成され、前記炊飯器の下端周縁部は、電磁調理器のトッププレートに上方から嵌合可能な高さ分下方に突出して形成されているので、その突出したトッププレートに嵌合する炊飯器は電磁調理器（トッププレート）上でがたつくことなく、しっかりと位置決め固定され、炊飯時に位置がずれることなく、また傾倒することなく、電磁誘導加熱によっておいしく炊飯できる上、安全性にも優れている。
【００２１】
請求項５、６記載の考案の電磁調理器用炊飯器は、その蓋部の裏面に加熱板が着脱自在に取り付けられている。つまり、炊飯器の蓋部への加熱板の着脱構造は、加熱板の外周に複数突設された係止片を、蓋部側の係止孔や係止爪部に係止し又はその係止を解除するだけで簡単に行えて取扱いが楽であり、炊飯使用後の加熱板の洗浄が楽で衛生上にもよい。
【００２２】
請求項７記載の考案の電磁調理器用炊飯器は、その外側面に内部に通じる窓部が形成され、前記窓部に着脱自在に嵌合する箱状の水滴受け部が設けられているので、炊飯器内で炊飯された際に生じる水滴が当該水滴受け部に滞留されたら、炊飯後に当該水滴受け部を取り外し、容易に洗浄できて便利である。
【００２３】
請求項８記載の考案の電磁調理器は、下底面が一部開口された炊飯器が載置される当該トッププレートが、前記炊飯器の下端において所定高さ分下方に突出した下端周縁部の内側空間に嵌合する大きさ・高さ分上方に突出して形成されているので、前記請求項４の考案の効果と同様に、この突出したトッププレートによって嵌合する炊飯器は揺動することなく位置決め固定され、炊飯時にも傾倒せず、電磁誘導加熱によっておいしく炊飯でき、また転倒防止の安全性にも優れている。もちろん、この電磁調理器は前記炊飯器に適するほか、従来通りの様々な用途に利用可能な利便性にもよい。
【００２４】
請求項９記載の考案の電磁調理器は、下底面が一部開口された炊飯器が載置される当該トッププレートに、前記炊飯器の下端において所定高さ分下方に突出した下端周縁部を嵌挿可能な溝部が形成されているので、この電磁調理器の溝部に、炊飯器の下端周縁部を嵌挿すれば、やはり前記請求項８の突設タイプのトッププレートにおける場合と同様に、当該溝部にその下端周縁部が嵌挿された炊飯器は揺動することなく位置決め固定され、炊飯時にも傾倒せずに、電磁誘導加熱によっておいしく炊飯でき、また転倒防止の安全性にも優れている。
【００２５】
請求項１０記載の考案の電磁調理器は、下底面が一部開口された炊飯器が載置される当該トッププレートは、前記炊飯器の下端周縁部全体を嵌合可能な凹部に形成されている。したがって、炊飯器の下底面を前記のような下端周縁部を設けることなく平滑にすれば、その平滑な下底面の釜下出現窓部から出現する釜の下底面がトッププレートと当接し、電磁誘導加熱に支障がない。また、炊飯器の下端外周が、凹部に形成されたトッププレートの外壁に拘束され揺動するこなく不動状態となる。よって、この凹部タイプのトッププレートによっても、前記請求項８と請求項９における場合と同様に、当該炊飯器は揺動することなく位置決め固定され、炊飯時にも傾倒せずに、電磁誘導加熱によっておいしく炊飯でき、転倒防止の効果があるほか、小さい鍋等による電磁誘導加熱時のこぼれを飛散させない安全性にも優れている。
【００２６】
請求項１１記載の考案の電磁調理器は、内部に温度制御部が組み込まれているので、当該電磁調理器のトッププレートの上に載置された炊飯器による炊飯に適した温度を適切な温度に調節でき、おいしいご飯を簡単に炊き上げることができる。
【考案を実施するための最良の形態】
【００２７】
請求項１〜７記載の考案の電磁調理器用炊飯器と、請求項８〜１１記載の考案の電磁調理器に関する実施形態を、以下図面にしたがって説明する。
【００２８】
本実施形態の電磁調理器用炊飯器Ａは、電磁調理器Ｂとは別設された分離型の炊飯器であり、電磁調理器Ｂのトッププレート７の上に載置して、当接する内部の釜３を電磁誘導加熱し炊飯するものである。一方、本実施形態の電磁調理器Ｂは、下記の電磁調理器用炊飯器Ａの炊飯に好適であるが、当該炊飯器Ａのみならず、通常の電磁調理器としても利用可能である。すなわち、この電磁調理器Ｂの基本構造は通常の電磁調理器と略同様であって、トッププレート７の下側に図示を省略した電磁誘導加熱コイルや基板等を備えている。よって、本炊飯器Ａを当該電磁調理器Ｂから取り外し、鉄製・鉄ホーロー・有磁性ステンレス等の磁性を帯びて底面がフラット状の鍋や鉄板、フライパン等を電磁調理器Ｂのトッププレート７の上に載置し、電磁誘導加熱により、煮物・鍋物・焼き物・炒め物・揚げ物といった加熱調理を行うことができる。
【００２９】
図１は電磁調理器用炊飯器Ａと電磁調理器Ｂの分離状態を示しており、図２と図３は両者の嵌合状態を示している。
【００３０】
電磁調理器用炊飯器Ａは、図４〜図７に示したように、加熱板４付き蓋部２を有し、開口上部から釜３の着脱が自在な本体容体１の中空内部に、下底面３０がフラット状で鉄製等の釜３が装着されている。図中符号１ａは持ち上げ用のハンドル、１ｂは開閉ボタン、５はキャップである。
【００３１】
当該炊飯器Ａの下底面１０において、一部が開口された釜下出現窓部１１として形成されている。したがって、釜３を当該炊飯器Ａ内に装着するだけで、当該釜３のフラット状の下底面３０が前記釜下出現窓部１１に出現されるから、かかる状態の当該炊飯器Ａを電磁調理器Ｂのトッププレート７上に載置することにより、釜３の下底面３０がトッププレート７に当接して電磁誘導加熱されるものである（請求項１）。
【００３２】
その際、釜３の下底面３０をトッププレート７上に簡便且つ確実に当接させるために、当該炊飯器Ａの釜下出現窓部１１に出現された釜３の下底面３０と、炊飯器Ａの下底面１０とを略同一レベル位置にするべく、釜３が炊飯器Ａ内で支持される実施形態が好適である（図３参照、請求項２）。
【００３３】
釜３を炊飯器Ａ内で支持する構造は、図６と図７に示したように、釜３を包み込み、且つ前記の如く所定の位置で支持し、下部１６が円形状に開口された鉢状の釜支持体１５が、炊飯器Ａの内部に装着されている。そして、当該炊飯器Ａの下底面を構成する下底面板１０の略中央が、円形状に開口された釜下出現窓部１１に形成されており、前記釜支持体１５の開口下部１６とこの下底面板１０の釜下出現窓部１１とが位置を共通にして本体容器１の内部に取り付けられている（請求項３）。つまり、本体容器１内にネジ込みピン１７が垂直状に複数設けられており、このネジ込みピン１７に対応する位置にネジ孔１０ａが穿設された下底面板１０を、本体容器１の裏面に嵌め込み、ネジ孔１０ａ及びネジ込みピン１７にネジ１７ａをネジ込むことで両者が一体化固定されると共に、前記の如く釜支持体１５の開口下部１６と下底面板１０の釜下出現窓部１１との位置が合致されている（図４）。
【００３４】
次に、当該炊飯器Ａの下端周縁部１２（１３、１４）は、所定高さｈ（ｈは例えば６ｍｍ）分だけ下方に突出して形成されている。後述する電磁調理器Ｂのトッププレート７が前記の高さｈ分上方に突出して形成されているのに従って炊飯器Ａの下端を突出させ、炊飯器Ａをトッププレート７に嵌合する不動状態を確保するためである。本実施形態では、炊飯器Ａの本体容器１の裏面に嵌る大きさ・形状の下底面板１０の周縁部１３が前記の所定高さｈ分だけ折曲して垂直状に形成されており、この折曲周縁部１３と、本体容器１の下端周縁部１４とが合致されたものが下端周縁部１２として形成されている。かくして、炊飯器Ａの下端周縁部１２（１３、１４）は、電磁調理器Ｂのトッププレート７に上方から嵌合可能な高さｈ分下方に突出して形成されている（請求項４）。なお、下底面板１０の折曲周縁部１３を設けず、下底面板１０を本体容器１の裏面に前記所定高さｈ分だけ押し込む形で下端周縁部１４と間で当該高さｈを確保する形態でも採用可能である。
【００３５】
図９〜図１４は蓋部２への加熱板４の着脱要領を示している。
【００３６】
電磁調理器用炊飯器Ａの蓋部２の裏面２ａに、炊飯加熱を促進する加熱板４が着脱自在に取り付けられている。円形状の加熱板４の外周に、２種類の係止片４０、４１が外向きに突設されている。一方、この係止片４０、４１を係止する係止孔２０又は係止爪部２１が蓋部２の裏面２ａの外周に形成されている（請求項５、請求項６）。
【００３７】
本実施形態の場合、図９に図示した如く蓋部２の上部位置に１つ設置された係止片４０の裏面内側に係止溝４０ａが形成され、この係止片４０が蓋部２の係止孔２０に嵌め込まれると、係止溝４０ａが蓋部２側の係止孔２０の爪部２０ａに係止される（図９〜図１１）。異なる係止片４１は図９の左右下方部位置に１つずつ合計２個設置されており、各々バネ４１ｂ付きの先端爪部４１ａがホルダー４１ｃ内に拘束されている。この係止片４１の先端爪部４１ａが、対応する蓋部２側の内向きに形成された係止爪部２１に、各々係止自在に構成されている（図１２〜図１４）。
【００３８】
図８と図１５は水滴受け部６を示している。
【００３９】
炊飯器Ａの外側面１８に、内部に通じる窓部１９が形成されており、前記窓部１９に着脱自在に嵌合する上部開口の箱状の水滴受け部６が設けられている。よって、炊飯器Ａ内で炊飯された際に生じる水滴が、この水滴受け部６に滞留され簡単に処理することができる（請求項７）。また、この水滴受け部６はハンドル１ａのストッパーも兼用する。つまり、この水滴受け部６の外側面には水平板６０が設置されており、この水平板６０に不使用時のハンドル１ａを載置することができる。
【００４０】
また、図１５に示したキャップ５は、上方キャップ５ａと下方キャップ５ｂ同士を少し回転させて合体して成り、上方キャップ５ａには蒸気穴５ｄが設けられ、下方キャップ５ｂの裏面にはゴム５ｃが付設されている。このキャップ５が、本体容器１の蓋部２の上部中央に設けられた蒸気口１ｃに着脱自在に設けられている。
【００４１】
次に、図１〜３に前記炊飯器Ａの実施に好適な電磁調理器Ｂを示した。なお、図中符号９は制御部、９０は電源コード、裏面を示した図１６中の符号９１は吸気口、９２、９３は排気口をそれぞれ示している。
【００４２】
本実施形態における電磁調理器Ｂのトッププレート７は、上方への突状タイプである。つまり、上述した下底面１０が一部開口された炊飯器Ａが載置される本電磁調理器Ｂのトッププレート７は、前記炊飯器Ａの下端において所定高さｈ分下方に突出した下端周縁部１２（１３、１４）の内側空間に嵌合する大きさ・高さｈ分だけ上方に突出して形成されている（請求項８）。したがって、この上方へ突設したトッププレート７に炊飯器Ａの下端周縁部１２は嵌合され揺動することなく位置決め固定される。炊飯時にも傾倒せずに、電磁誘導加熱によっておいしく炊飯でき、また転倒防止にも役立つものである。
【００４３】
また、図示を省略した溝が形成されたフラットタイプでも実施可能である。つまり、前記炊飯器Ａが載置される電磁調理器Ｂのトッププレート７に、前記炊飯器Ａの高さｈ分下方に突出した下端周縁部１２（１３、１４）を嵌挿可能な、前記高さｈ分に略相当する深さの溝部が形成されている（請求項９）。よって、この電磁調理器Ｂの溝部に、炊飯器Ａの下端周縁部１２（１３、１４）を嵌挿することにより炊飯器Ａは揺動することなく位置決め固定されて不動状態を維持しつつ、釜３の下底面３０がトッププレート７に当接し、電磁誘導加熱によって炊飯することができる。
【００４４】
さらに、図示を省略した凹状タイプのトッププレート７でも実施可能である。つまり、このトッププレート７は、前記炊飯器Ａの下端周縁部１２（１３、１４）全体を嵌合可能な凹部に形成されているものである（請求項１０）。かかる場合、炊飯器Ｂの下底面を前記のような下端周縁部１２（１３、１４）を設けることなくフラットな平滑面にすれば、その平滑な下底面１０の釜下出現窓部１１から同一レベル位置で出現する釜３の下底面３０がトッププレート７と当接し、前記同様、揺動・転倒する虞れなく確実に電磁誘導加熱による炊飯を行うことができる。
【００４５】
そして、この電磁調理器Ｂには、内部に温度制御部８が組み込まれており、当該電磁調理器Ｂのトッププレート７の上に載置された炊飯器Ａによる炊飯に適した温度が調節自在である（請求項１１）。
【００４６】
以下、前記炊飯器Ａと電磁調理器Ｂを使って炊飯する手順を説明する。
【００４７】
前記釜３を炊飯器Ａの本体容器１から取り外し、この釜３の中にお米（図示は省略）を入れて洗米し、所定の水を入れる。一方、本体容器１を電磁調理器Ｂのトッププレート７の上に載置し、下端周縁部１２を嵌合させ、位置決め固定する。そして、蓋部２を開け、本体容器１の中に前記釜３を入れて装着する。しかる後、電磁調理器Ｂの電源コード９０をコンセントに差し込む。
【００４８】
次に、図１７に示した操作部９のボタンを押す。最初に、同図中右端の「入／切」と表示された電源ボタンを押した後、同図中左方の「炊飯」ボタンを押す。すると、電磁誘導により加熱が開始される。通常炊き上がるまで約３０分である。炊き上がったら音が鳴って知らせ、自動的に保温状態に切り替わる。よって、かかる状態ですぐほぐせば、おいしいご飯が出来上がる。なお、お粥を炊くには、前記の電源ボタンを押した後、「お粥」ボタンを押す。すると電磁誘導加熱が開始され、ゆっくり約２時間３０分かけて自動的にお粥を炊き上げることができる。
【００４９】
もちろん、炊飯以外の他の加熱調理の温度や時間設定も、前記操作部９のワンタッチ操作で簡単に行うことができる。炊飯以外の火力や温度の調節の目安を図１８と図１９に示した。つまり、図１７の操作部９において、「煮る」「炒める」や矢印表示の火力調節ボタンの押下により、適切な火力や温度等を得ることができ、炊飯その他の加熱調理にも適用可能なのである。
【図面の簡単な説明】
【００５０】
【図１】分離状態の電磁調理器用炊飯器と電磁調理器を示した全体図である。
【００５１】
【図２】嵌合使用状態の電磁調理器用炊飯器と電磁調理器を示した全体図である。
【００５２】
【図３】炊飯器と電磁調理器の嵌合要領を示した図４におけるIII−III矢視一部切欠縦断面図である。
【００５３】
【図４】炊飯器の裏面を示した斜視図である。
【００５４】
【図５】蓋部を閉じた状態の炊飯器の斜視図である。
【００５５】
【図６】蓋部を開いた状態の炊飯器の斜視図である。
【００５６】
【図７】炊飯器の下底面板を取り外し内部構造を示した斜視図である。
【００５７】
【図８】炊飯器の後方斜視図である。
【００５８】
【図９】加熱板の取り付け要領を示した正面図である。
【００５９】
【図１０】蓋部の正面図である。
【００６０】
【図１１】Ａ、Ｂは加熱板の側面図と正面図である。
【００６１】
【図１２】加熱板の蓋部への取り付け要領を示した拡大図である。
【００６２】
【図１３】加熱板と蓋部との係止状態を示した拡大図である。
【００６３】
【図１４】加熱板の係止片を示した拡大図である。
【００６４】
【図１５】キャップを示した説明図である。
【００６５】
【図１６】電磁調理器の裏面図である。
【００６６】
【図１７】操作部を示した正面図である。
【００６７】
【図１８】炊飯以外の加熱料理の火力の目安を示した説明図である。
【００６８】
【図１９】炊飯以外の加熱料理の温度の目安を示した説明図である。
【符号の説明】
【００６９】
Ａ      電磁調理器用炊飯器
１      本体
１０    下底面（下底面板）
１１    釜下出現窓部
１２    下端周縁部
１３    周縁部
１４    下端周縁部
１５    釜支持体
１６    開口下部
１９    窓部
２      蓋部
２ａ    裏面
２０    係止孔
２１    係止爪部
３      釜
３０    下底面
４      加熱板
４０    係止片
４１    係止片
５      キャップ
６      水受け部
Ｂ      電磁調理器
７      トッププレート
８      温度制御部
９      操作部
ｈ      高さ
【図１】
0003103627.tif 000003
【図２】
0003103627.tif 000004
【図３】
0003103627.tif 000005
【図４】
0003103627.tif 000006
【図５】
0003103627.tif 000007
【図６】
0003103627.tif 000008
【図７】
0003103627.tif 000009
【図８】
0003103627.tif 000010
【図９】
0003103627.tif 000011
【図１０】
0003103627.tif 000012
【図１１】
0003103627.tif 000013
【図１２】
0003103627.tif 000014
【図１３】
0003103627.tif 000015
【図１４】
0003103627.tif 000016
【図１５】
0003103627.tif 000017
【図１６】
0003103627.tif 000018
【図１７】
0003103627.tif 000019
【図１８】
0003103627.tif 000020
【図１９】
0003103627.tif 000021